(57)【要約】      （修正有）【課題】均一な面光源ランプを提供する。【解決手段】本発明は、基板１０、基板１０の４側面の上に、それぞれ設けられた４つの側板１１、基板１０上に対称的に設置され、そして、互いに、電気的に並列に接続された複数の回路基板２０、基板１０上に配置され、そして、アレイ状（ｉｎ  ａｎ  ａｒｒａｙ）に配置された複数のＬＥＤ３０、基板１０上に設置され、そして、ＬＥＤ３０に電力を供給する、電力供給部４０及び側板１１の上で、基板１０と対向して設置された曇りフィルム５０（ｆｏｇｇｉｎｇ  ｆｉｌｍ）を含む、ＬＥＤ面光源（ｐｌａｎｅ  ｓｏｕｒｃｅ）ランプ１である。曇りフィルム５０は、ＬＥＤ３０の光を散乱させて、均一な面光源ランプとさせる。【選択図】図２
2018156923.tif 000002
【特許請求の範囲】
【請求項１】
発光ダイオードの面光源（ｐｌａｎｅ  ｓｏｕｒｃｅ）ランプであって、
基板；
基板の４側面に、基板に対して垂直に、それぞれ設置された、４枚の側板；
基板上に、対称的に、設置され、そして、互いに、並列に（ｉｎ  ｐａｒａｌｌｅｌ）接続された、複数の回路基板；
各回路基板上に設置され、そして、各回路基板上にマトリクス状に配列された、複数の発光ダイオード；
前記基板上に設置され、そして、前記発光ダイオードに電力を供給する、電力供給器；および
前記側板の上、そして、前記基板に対向するように設置された、曇りフィルム（ｆｏｇｇｉｎｇ  ｆｉｌｍ）；
を含む、発光ダイオードの面光源ランプであって、
前記曇りフィルム（ｆｏｇｇｉｎｇ  ｆｉｌｍ）は、前記発光ダイオードの光を散乱させて、均一な面光源（ｐｌａｎｅ  ｓｏｕｒｃｅ）を提供する、発光ダイオードの面光源（ｐｌａｎｅ  ｓｏｕｒｃｅ）ランプ。
【請求項２】
請求項１に記載の、発光ダイオードの面光源（ｐｌａｎｅ  ｓｏｕｒｃｅ）ランプであって、
曇りフィルム（ｆｏｇｇｉｎｇ  ｆｉｌｍ）は、入射面（ｉｎｃｉｄｅｎｔ  ｓｕｒｆａｃｅ）と出射面（ｅｍｅｒｇｅｎｔ  ｓｕｒｆａｃｅ）とを含み；
前記発光ダイオードの位置が、発光ダイオードから発光された光が、入射面（ｉｎｃｉｄｅｎｔ  ｓｕｒｆａｃｅ）の上で、重なり合う（ｓｕｐｅｒｐｏｓｅｄ）ように配置され（ａｒｒａｎｇｅｄ）、そして、入射面（ｉｎｃｉｄｅｎｔ  ｓｕｒｆａｃｅ）の上に、高照度（ｉｌｌｕｍｉｎａｎｃｅ）領域と低照度（ｉｌｌｕｍｉｎａｎｃｅ）領域を齎し；
曇りフィルム（ｆｏｇｇｉｎｇ  ｆｉｌｍ）が、高照度（ｉｌｌｕｍｉｎａｎｃｅ）領域および低照度（ｉｌｌｕｍｉｎａｎｃｅ）領域において、光を散乱させ、光を均一にし、そして、出射面（ｅｍｅｒｇｅｎｔ  ｓｕｒｆａｃｅ）の上に、面光源（ｐｌａｎｅ  ｓｏｕｒｃｅ）を提供する、発光ダイオードの面光源（ｐｌａｎｅ  ｓｏｕｒｃｅ）ランプ。
【請求項３】
請求項１に記載の、発光ダイオードの面光源（ｐｌａｎｅ  ｓｏｕｒｃｅ）ランプであって、
各発光ダイオードは、放射束（ｒａｄｉａｎｔ  ｆｌｕｘ）Ｗを有し；
任意の２つの隣接する発光ダイオードは、距離Ｄだけ、離れて設置されており；
前記曇りフィルム（ｆｏｇｇｉｎｇ  ｆｉｌｍ）と発光ダイオードとは、高さＨだけ離れて設置されており；そして、
曇りフィルム（ｆｏｇｇｉｎｇ  ｆｉｌｍ）を通過した、発光ダイオードから発せられた光が、重なり合う（ｓｕｐｅｒｐｏｓｉｔｉｏｎ）光束発散度（ｌｕｍｉｎｏｕｓ  ｅｘｉｔａｎｃｅ）が、放射束（ｒａｄｉａｎｔ  ｆｌｕｘ）Ｗ、距離Ｄまたは高さＨに関して、非線形関数である、発光ダイオードの面光源（ｐｌａｎｅ  ｓｏｕｒｃｅ）ランプ。
【請求項４】
非線形関数が、二次関数である、請求項３に記載の、発光ダイオードの面光源（ｐｌａｎｅ  ｓｏｕｒｃｅ）ランプ。
【請求項５】
非線形関数が、最大値に収束する（ｃｏｎｖｅｒｇｅｓ）、請求項４に記載の発光ダイオードの面光源（ｐｌａｎｅ  ｓｏｕｒｃｅ）ランプ。
【請求項６】
放射束（ｒａｄｉａｎｔ  ｆｌｕｘ）Ｗ、距離Ｄまたは高さＨを、非線形関数が最大となるように選択される、請求項５に記載の発光ダイオードの面光源（ｐｌａｎｅ  ｓｏｕｒｃｅ）ランプ。
【請求項７】
放射束（ｒａｄｉａｎｔ  ｆｌｕｘ）Ｗ：距離Ｄ：高さ、の比が、０．２ワット：１．５ｃｍ：３ｃｍである、請求項６に記載の発光ダイオードの面光源（ｐｌａｎｅ  ｓｏｕｒｃｅ）ランプ。
【請求項８】
高さＨが、０．５〜５ｃｍである、請求項７に記載の発光ダイオードの面光源（ｐｌａｎｅ  ｓｏｕｒｃｅ）ランプ。
【請求項９】
曇りフィルム（ｆｏｇｇｉｎｇ  ｆｉｌｍ）が、ポリカーボネートフィルムまたはアクリルフィルムである、請求項８に記載の発光ダイオードの面光源（ｐｌａｎｅ  ｓｏｕｒｃｅ）ランプ。
【請求項１０】
各回路基板が、
第１の絶縁層；
前記第１の絶縁層上に設置された回路層（ｃｉｒｃｕｉｔ  ｌａｙｅｒ）であって、複数のコンタクト（ｃｏｎｔａｃｔｓ）を有する並列回路（ｐａｒａｌｌｅｌ  ｃｉｒｃｕｉｔ）が、前記回路層（ｃｉｒｃｕｉｔ  ｌａｙｅｒ）上に配置され；そして、
前記回路層（ｃｉｒｃｕｉｔ  ｌａｙｅｒ）上に設置され、そして、複数のビアホールを有する、第２の絶縁層であって、前記発光ダイオードは、前記第２の絶縁層上に設けられ、そして、前記ビアホールを通って、前記コンタクト（ｃｏｎｔａｃｔｓ）に接続される；
を含む、請求項９に記載の発光ダイオードの面光源（ｐｌａｎｅ  ｓｏｕｒｃｅ）ランプ。
【請求項１１】
並列回路（ｐａｒａｌｌｅｌ  ｃｉｒｃｕｉｔ）が、コンタクト（ｃｏｎｔａｃｔｓ）に遭遇する、複数のジグザグ部を有する、請求項１０に記載の発光ダイオードの面光源（ｐｌａｎｅ  ｓｏｕｒｃｅ）ランプ。
【請求項１２】
並列回路（ｐａｒａｌｌｅｌ  ｃｉｒｃｕｉｔ）が、
正の端子；
負の端子；
前記正の端子から並列に延びる、第１経路、第２経路および第３経路；および
前記負の端子から並列に延びる、第４経路、第５経路および第６経路；
ここで、前記第１経路は前記第４経路に接続され、前記第２経路は前記第５経路に接続され、そして、前記第３経路は前記第６経路に接続される；
を含む、請求項１０に記載の発光ダイオードの面光源（ｐｌａｎｅ  ｓｏｕｒｃｅ）ランプ。
【発明の詳細な説明】
【背景技術】
【０００１】
［発明の分野］
本発明は、発光ダイオードのランプに関する。
【０００２】
［関連技術の説明］
発光ダイオード（ＬＥＤ）は、発光可能な半導体素子である。ＬＥＤが通電（ｅｌｅｃｔｒｉｆｉｅｄ）されると、ＬＥＤの電子と正孔が再結合し、そして、その後、電子が、より高いエネルギーレベルから、より低いエネルギーレベルに落下し、そして、そのプロセス中に光が放出される。熱放射によって発光する白熱電球と比較して、ＬＥＤは、より高い発光（ｌｕｍｉｎｏｕｓ）効率を有し、そして、エネルギー維持（ｅｎｅｒｇｙ  ｃｏｎｓｅｒｖａｔｉｏｎ）および環境保護に有利である。
【０００３】
図１６は、先行技術のＬＥＤ管  １００を示す。ＬＥＤ管  １００において、複数のＬＥＤ  １０１は、基板１０２上で互いに直列で（ｉｎ  ｓｅｒｉｅｓ  ｗｉｔｈ）接続され、そして、ガラスカバー１０３によって保護されている。しかし、ＬＥＤ  １０１は、ガラスカバー１０３の外に、直接発光してしまい、その結果、ＬＥＤ管  １００は柔らかい光を提供することができない。また、ＬＥＤ  １０１は離散的に（ｄｉｓｃｒｅｔｅｌｙ）離れて設置されているため、ＬＥＤ管  １００は不均一な明視野（ｌｉｇｈｔ  ｆｉｅｌｄ）を提供することができず、したがって、理想的な面光源（ｐｌａｎｅ  ｓｏｕｒｃｅ）とはなり得ない。したがって、従来のＬＥＤ管は改善されるべきである。
【０００４】
［発明の概要］
上記に照らして、本発明は、
基板；
上記基板の４辺に、基板と垂直に（ｐｅｒｐｅｎｄｉｃｕｌａｒ）、設置された４つの側板；
基板上に対称的に設置され、互いに並列に接続された複数の回路基板；
各回路基板上に設置され、そして、回路基板上にマトリクス状に配置された、複数の発光ダイオード；
前記基板上に設置され、そして、前記発光ダイオードに電力を供給する電力供給器；および、
側板の上に、そして、基板とは反対側に設置された曇りフィルム（ｆｏｇｇｉｎｇ  ｆｉｌｍ）；
を含む、発光ダイオードの面光源（ｐｌａｎｅ  ｓｏｕｒｃｅ）ランプを提供する。
なお、上記曇りフィルム（ｆｏｇｇｉｎｇ  ｆｉｌｍ）は、発光ダイオードの光を散乱させて、均一な面光源（ｐｌａｎｅ  ｓｏｕｒｃｅ）を提供する。
【０００５】
また、本発明の更なる実施形態では、曇りフィルム（ｆｏｇｇｉｎｇ  ｆｉｌｍ）が、入射面（ｉｎｃｉｄｅｎｔ  ｓｕｒｆａｃｅ）の照度（ｉｌｌｕｍｉｎａｎｃｅ）とその出射面（ｅｍｅｒｇｅｎｔ  ｓｕｒｆａｃｅ）の光束発散度（ｌｕｍｉｎｏｕｓ  ｅｘｉｔａｎｃｅ）（または光束発散度（ｌｕｍｉｎｏｕｓ  ｅｍｉｔｔａｎｃｅ））との間に非線形な関係があり、そして、曇りフィルム（ｆｏｇｇｉｎｇ  ｆｉｌｍ）の光束発散度（ｌｕｍｉｎｏｕｓ  ｅｘｉｔａｎｃｅ）は、各発光ダイオードの放射束（ｒａｄｉａｎｔ  ｆｌｕｘ）、任意の隣り合う２つの発光ダイオード間の距離、および各発光ダイオードと曇りフィルム（ｆｏｇｇｉｎｇ  ｆｉｌｍ）の間の高さを含む、パラメータを調整することにより、エネルギー保持（ｅｎｅｒｇｙ  ｃｏｎｓｅｒｖａｔｉｏｎ）および環境保護の目的で、最適化することができる、ということに留意する。
【０００６】
本発明の他の目的、新規な特徴および利点は、添付の図面と併せて、以下の発明の詳細な説明から、より明らかになる。
【図面の簡単な説明】
【０００７】
図１乃至４は、本発明の第１の実施形態における、それぞれ、発光ダイオードの面光源（ｐｌａｎｅ  ｓｏｕｒｃｅ）ランプの透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。
【０００８】
【図１】図１は、本発明の第１の実施形態による、発光ダイオードの面光源（ｐｌａｎｅ  ｓｏｕｒｃｅ）ランプの透視図（ｐｅｒｓｐｅｃｔｉｖｅ  ｖｉｅｗ）である。
【図２】図２は、本発明の第１の実施形態による、発光ダイオードの面光源（ｐｌａｎｅ  ｓｏｕｒｃｅ）ランプの分解立体図（ｅｘｐｌｏｄｅｄ  ｖｉｅｗ）である。
【図３】図３は、本発明の第１の実施形態による、発光ダイオードの面光源（ｐｌａｎｅ  ｓｏｕｒｃｅ）ランプの上面透視図（ｔｏｐ  ｐｅｒｓｐｅｃｔｉｖｅ  ｖｉｅｗ）である。
【図４】図４は、本発明の第１の実施形態による、発光ダイオードの面光源（ｐｌａｎｅ  ｓｏｕｒｃｅ）ランプの底面透視図（ｂｏｔｔｏｍ  ｐｅｒｓｐｅｃｔｉｖｅ  ｖｉｅｗ）である。
【図５】図５は、本発明の第１の実施形態に係る、発光ダイオードの面光源（ｐｌａｎｅ  ｓｏｕｒｃｅ）ランプの回路基板の断面図である。
【図６】図６は、本発明の第１の実施形態に係る、発光ダイオードの面光源（ｐｌａｎｅ  ｓｏｕｒｃｅ）ランプの回路層（ｃｉｒｃｕｉｔ  ｌａｙｅｒ）の並列回路（ｐａｒａｌｌｅｌ  ｃｉｒｃｕｉｔ）を示す。
【図７】図７は、本発明の第１の実施形態に係る、発光ダイオードの面光源（ｐｌａｎｅ  ｓｏｕｒｃｅ）ランプの発光ダイオードの光投影（ｌｉｇｈｔ  ｐｒｏｊｅｃｔｉｏｎ）を示す。
【図８】図８乃至１１は、それぞれ、本発明の第２の実施形態に係る、発光ダイオードの面光源（ｐｌａｎｅ  ｓｏｕｒｃｅ）ランプの、透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。図８は、本発明の第２の実施形態に係る、発光ダイオードの面光源（ｐｌａｎｅ  ｓｏｕｒｃｅ）ランプの、透視図（ｐｅｒｓｐｅｃｔｉｖｅ  ｖｉｅｗ）である。
【図９】図８乃至１１は、それぞれ、本発明の第２の実施形態に係る、発光ダイオードの面光源（ｐｌａｎｅ  ｓｏｕｒｃｅ）ランプの、透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。図９は、本発明の第２の実施形態に係る、発光ダイオードの面光源（ｐｌａｎｅ  ｓｏｕｒｃｅ）ランプの、分解立体図（ｅｘｐｌｏｄｅｄ  ｖｉｅｗ）である。
【図１０】図８乃至１１は、それぞれ、本発明の第２の実施形態に係る、発光ダイオードの面光源（ｐｌａｎｅ  ｓｏｕｒｃｅ）ランプの、透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。図１０は、本発明の第２の実施形態に係る、発光ダイオードの面光源（ｐｌａｎｅ  ｓｏｕｒｃｅ）ランプの、上面透視図（ｔｏｐ  ｐｅｒｓｐｅｃｔｉｖｅ  ｖｉｅｗ）である。
【図１１】図８乃至１１は、それぞれ、本発明の第２の実施形態に係る、発光ダイオードの面光源（ｐｌａｎｅ  ｓｏｕｒｃｅ）ランプの、透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。図１１は、本発明の第２の実施形態に係る、発光ダイオードの面光源（ｐｌａｎｅ  ｓｏｕｒｃｅ）ランプの、底面透視図（ｂｏｔｔｏｍ  ｐｅｒｓｐｅｃｔｉｖｅ  ｖｉｅｗ）である。
【図１２】図１２乃至１５は、それぞれ、本発明の第３の実施形態に係る、発光ダイオードの面光源（ｐｌａｎｅ  ｓｏｕｒｃｅ）ランプの、透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。図１２は、本発明の第３の実施形態に係る、発光ダイオードの面光源（ｐｌａｎｅ  ｓｏｕｒｃｅ）ランプの、透視図（ｐｅｒｓｐｅｃｔｉｖｅ  ｖｉｅｗ）である。
【図１３】図１２乃至１５は、それぞれ、本発明の第３の実施形態に係る、発光ダイオードの面光源（ｐｌａｎｅ  ｓｏｕｒｃｅ）ランプの、透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。図１３は、本発明の第３の実施形態に係る、発光ダイオードの面光源（ｐｌａｎｅ  ｓｏｕｒｃｅ）ランプの、分解立体図（ｅｘｐｌｏｄｅｄ  ｖｉｅｗ）である。
【図１４】図１２乃至１５は、それぞれ、本発明の第３の実施形態に係る、発光ダイオードの面光源（ｐｌａｎｅ  ｓｏｕｒｃｅ）ランプの、透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。図１４は、本発明の第３の実施形態に係る、発光ダイオードの面光源（ｐｌａｎｅ  ｓｏｕｒｃｅ）ランプの、上面透視図（ｔｏｐ  ｐｅｒｓｐｅｃｔｉｖｅ  ｖｉｅｗ）である。
【図１５】図１２乃至１５は、それぞれ、本発明の第３の実施形態に係る、発光ダイオードの面光源（ｐｌａｎｅ  ｓｏｕｒｃｅ）ランプの、透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。図１５は、本発明の第３の実施形態に係る、発光ダイオードの面光源（ｐｌａｎｅ  ｓｏｕｒｃｅ）ランプの、底面透視図（ｂｏｔｔｏｍ  ｐｅｒｓｐｅｃｔｉｖｅ  ｖｉｅｗ）である。
【図１６】図１６は、従来のＬＥＤ管を示す。
【０００９】
［好ましい実施形態の詳細な説明］
本発明の異なる実施形態は、以下の発明の詳細な説明において提供される。これらの実施形態は、限定を意味するものではない。他の実施形態に適用するための、本発明の特徴を有する、修正、置換、組み合わせ、分離または設計を行うことが可能である。
【００１０】
第１の実施形態
【００１１】
図１乃至図４は、それぞれ、本発明の第１の実施形態に係る、発光ダイオードの面光源（ｐｌａｎｅ  ｓｏｕｒｃｅ）ランプ１の、透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｐｅｒｓｐｅｃｔｉｖｅ  ｖｉｅｗ）である。図１〜図４を参照のこと。
【００１２】
本実施形態では、発光ダイオードの面光源（ｐｌａｎｅ  ｓｏｕｒｃｅ）ランプ１は、主に、基板１０、４つの側板１１、４つの回路基板２０、複数の発光ダイオード３０、電源供給部４０および曇りフィルム（ｆｏｇｇｉｎｇ  ｆｉｌｍ）５０を含む。
【００１３】
基板１０は、天井や壁に容易に設置することができるように、長方形である。４枚の側板１１は、基板１０の４辺にそれぞれ設置され、そして、基板１０に対して垂直である。４枚の側板１１上には、基板１０とは反対側に、曇りフィルム（ｆｏｇｇｉｎｇ  ｆｉｌｍ）５０が設置される。したがって、基板１０、４枚の側板１１および曇りフィルム（ｆｏｇｇｉｎｇ  ｆｉｌｍ）５０は、容器空間を形成する。
【００１４】
選択的に、４枚の側板１１上に、枠６０を設置した後、枠６０の中に、曇りフィルム（ｆｏｇｇｉｎｇ  ｆｉｌｍ）５０を挿入することにより、曇りフィルム（ｆｏｇｇｉｎｇ  ｆｉｌｍ）５０の設置を行うことができる。図２および図４に示すように、プラグワイヤ１２は、容器空間の外に、設置することができ、そして、基板１０上の穴から、容器空間内に延在する。基板１０または側板１１の材料は、熱伝導を改善するため、セラミックまたはアルミニウム、銅またはそれらの合金のような金属であり得る。基板１０、側板１１および曇りフィルム（ｆｏｇｇｉｎｇ  ｆｉｌｍ）５０のうちの、１つ、または、いくつか、または、それぞれは、対流（ｃｏｎｖｅｃｔｉｏｎ）による熱放散（ｈｅａｔ  ｄｉｓｓｉｐａｔｉｏｎ）を改善するために、空気が、容器空間に出入りすることができるように、ホール（ｈｏｌｅｓ）を有することができる。図２および４は、ホール（ｈｏｌｅｓ）１２を有する側板１１を示す。
【００１５】
測定では、本発明の発行ダイオードの面光源（ｐｌａｎｅ  ｓｏｕｒｃｅ）ランプ１の回路基板の温度は、従来のＬＥＤ管の温度よりも低い、２５℃〜３０℃である。これは、本発明によって提供される利点を示す。
【００１６】
容器空間内において、４枚の回路基板２０は、基板１０上に固定され、そして、それらは、水平に対称であり、および、垂直に対称である。それらは、互いに、電気的に、並列に接続されており、そして、ワイヤ４１によって、電源供給器４０に接続される。電源供給器４０は、プラグワイヤ１３によって、配電幹線（ｓｕｐｐｌｙ  ｍａｉｎｓ）に接続することができる。
【００１７】
複数の発光ダイオード３０は、各回路基板２０上に設置され、そして、各回路基板上に、マトリクス状に配列される。この実施形態では、各回路基板２０上の発光ダイオード３０は、７行５列のマトリクス状に配列される。他の実施形態では、マトリクスは、異なる数の行および異なる数の列を有することができる。隣接する２つの発光ダイオード３０の間には、（垂直方向または水平方向で、規定することができる）距離Ｄがある。発光ダイオード３０は、白色光、暖色光、またはそれらの組み合わせを発光することができる。
【００１８】
各発光ダイオード３０は、放射束（ｒａｄｉａｎｔ  ｆｌｕｘ）Ｗを有する。各発光ダイオード３０は、ランベルト分布またはガウス分布によって規定される角度の範囲で、発光することができる。
【００１９】
図５は、本発明の第１の実施形態に係る、発光ダイオードの面光源（ｐｌａｎｅ  ｓｏｕｒｃｅ）ランプ１の回路基板２０の断面図を示す。各回路基板２０は、第１の絶縁層２１、回路層（ｃｉｒｃｕｉｔ  ｌａｙｅｒ）２２および、第２の絶縁層２３を含む。各回路基板２０は、第１の絶縁層２１によって、基板１０の上に固定される。回路層（ｃｉｒｃｕｉｔ  ｌａｙｅｒ）２２は、第１の絶縁層２１の上に設置され、そして、並列回路（ｐａｒａｌｌｅｌ  ｃｉｒｃｕｉｔ）２４（図６に示すように）は、回路層（ｃｉｒｃｕｉｔ  ｌａｙｅｒ）２２の上に配置される。
【００２０】
並列回路（ｐａｒａｌｌｅｌ  ｃｉｒｃｕｉｔ）２４は、複数のコンタクト（ｃｏｎｔａｃｔｓ）２２０を有する。第２の絶縁層２３は、回路層（ｃｉｒｃｕｉｔ  ｌａｙｅｒ）２２上に設置され、そして、複数のビアホール２３０を有する。発光ダイオード３０は、第２絶縁層２２上に設置され、そして、ビアホール２３０を通って、コンタクト（ｃｏｎｔａｃｔｓ）２２０に接続される。
【００２１】
たとえば、７行５列のマトリクスを採用すると、図６は、本発明の第１の実施形態に係る、発光ダイオードの面光源（ｐｌａｎｅ  ｓｏｕｒｃｅ）ランプ１の回路層（ｃｉｒｃｕｉｔ  ｌａｙｅｒ）２２の並列回路（ｐａｒａｌｌｅｌ  ｃｉｒｃｕｉｔ）２４を示す。
【００２２】
並列回路（ｐａｒａｌｌｅｌ  ｃｉｒｃｕｉｔ）２４は、それぞれ、正および負のワイヤ４１に接続している、正の端子２５と負の端子２６を有する。
【００２３】
第１経路２４１、第２経路２４２及び第３経路２４３は、正の端子２５から、並列に延長されている。第４経路２４４、第５経路２４５および第６経路２４６は、負の端子２６から、並列に延びている。第４経路２４４には、第１経路２４１が接続され、第５経路２４５には第２経路２４２が接続され、そして、第６経路２４６には第３経路２４３が接続される。以上の配列により、発光ダイオード３０を、７行５列のマトリクスとして配置するのがより簡単である。
好ましくは、並列回路（ｐａｒａｌｌｅｌ  ｃｉｒｃｕｉｔ）２４は、コンタクト（ｃｏｎｔａｃｔｓ）２２０に遭遇する複数のジグザグ部を有し、ジグザグ部で発光ダイオード３０は、容易に半田付けすることができる。
【００２４】
回路基板３０は、基板１０上に接着して組み立てられておらず、そして、容器空間から着脱可能となっているので、任意のいずれかが故障しても、回路基板３０の交換が可能であり、そして、故障したそのものはリサイクルすることができる。これは、環境保護に役立つ。
【００２５】
図７は、本発明の第１の実施形態に係る、発光ダイオードの面光源（ｐｌａｎｅ  ｓｏｕｒｃｅ）ランプ１の発光ダイオード３０の光投影（ｌｉｇｈｔ  ｐｒｏｊｅｃｔｉｏｎ）を示す。曇りフィルム（ｆｏｇｇｉｎｇ  ｆｉｌｍ）５０は、発光ダイオード３０の光を散乱させて、均一な面光源（ｐｌａｎｅ  ｓｏｕｒｃｅ）を提供する。特に、曇りフィルム（ｆｏｇｇｉｎｇ  ｆｉｌｍ）５０は、入射面（ｉｎｃｉｄｅｎｔ  ｓｕｒｆａｃｅ）５１、すなわち、発光ダイオード３０の近位表面、および出射面（ｅｍｅｒｇｅｎｔ  ｓｕｒｆａｃｅ）５２、すなわち、発光ダイオード３０の遠位表面を含む。
【００２６】
発光ダイオード３０は、基板１０の近傍に位置し、そして、発光ダイオード３０と曇りフィルム（ｆｏｇｇｉｎｇ  ｆｉｌｍ）５０との間に、高さＨがあることに留意する。それゆえ、曇りフィルム（ｆｏｇｇｉｎｇ  ｆｉｌｍ）５０の入射面（ｉｎｃｉｄｅｎｔ  ｓｕｒｆａｃｅ）上に投影されたときに、発光ダイオード３０から異なる角度で発光した光が、重なり合うように（ｓｕｐｅｒｐｏｓｅｄ）、発光ダイオード３０の位置は調整され、そして、複数の高照度（ｉｌｌｕｍｉｎａｎｃｅ）領域５１１および複数の低照度（ｉｌｌｕｍｉｎａｎｃｅ）領域５１２を齎す。曇りフィルム（ｆｏｇｇｉｎｇ  ｆｉｌｍ）５０において、光が散乱され、そして、高照度（ｉｌｌｕｍｉｎａｎｃｅ）領域５１１において、光は、低照度（ｉｌｌｕｍｉｎａｎｃｅ）領域５１２の光よりも、散乱期待値が高いので、曇りフィルム（ｆｏｇｇｉｎｇ  ｆｉｌｍ）は、両領域からの光を均一にすることができ、そして、出射面（ｅｍｅｒｇｅｎｔ  ｓｕｒｆａｃｅ）５２において、面光源（ｐｌａｎｅ  ｓｏｕｒｃｅ）を提供する。
【００２７】
本発明では、曇りフィルム（ｆｏｇｇｉｎｇ  ｆｉｌｍ）５０は、入射面（ｉｎｃｉｄｅｎｔ  ｓｕｒｆａｃｅ）５１の照度（ｉｌｌｕｍｉｎａｎｃｅ）Ｅと、出射面（ｅｍｅｒｇｅｎｔ  ｓｕｒｆａｃｅ）５２の光束発散度（ｌｕｍｉｎｏｕｓ  ｅｘｉｔａｎｃｅ）Ｍとの間に非線形の関係を有することに留意する。なお、照度（ｉｌｌｕｍｉｎａｎｃｅ）Ｅは、曇りフィルム（ｆｏｇｇｉｎｇ  ｆｉｌｍ）５０の入射面（ｉｎｃｉｄｅｎｔ  ｓｕｒｆａｃｅ）５１で受光される、単位面積当たりの光束（ｌｕｍｉｎｏｕｓ  ｆｌｕｘ）として定義され、そして、光束発散度（ｌｕｍｉｎｏｕｓ  ｅｘｉｔａｎｃｅ）Ｍは、曇りフィルム（ｆｏｇｇｉｎｇ  ｆｉｌｍ）５０の出射面（ｅｍｅｒｇｅｎｔ  ｓｕｒｆａｃｅ）５２によって発光される、単位面積当たりの光束（ｌｕｍｉｎｏｕｓ  ｆｌｕｘ）と定義されていることに留意する。そのような非線形の関係は、解析解（ａｎａｌｙｔｉｃ  ｓｏｌｕｔｉｏｎ）として表現することはできないが、最大の特徴として表現することができる。
【００２８】
特に、入射面（ｉｎｃｉｄｅｎｔ  ｓｕｒｆａｃｅ）の照度（ｉｌｌｕｍｉｎａｎｃｅ）Ｅを決定するパラメータは、各発光ダイオード３０の放射束（ｒａｄｉａｎｔ  ｆｌｕｘ）Ｗ、任意の２つの隣接する発光ダイオード３０の間の距離Ｄ、および、発光ダイオード３０と曇りフィルム（ｆｏｇｇｉｎｇ  ｆｉｌｍ）５０の間の高さＨを含む。なぜなら、照度（ｉｌｌｕｍｉｎａｎｃｅ）Ｅは、単位面積あたりの入射角に関して、光束（ｌｕｍｉｎｏｕｓ  ｆｌｕｘ）を積分して得られたものであり、光束（ｌｕｍｉｎｏｕｓ  ｆｌｕｘ）は、放射束（ｒａｄｉａｎｔ  ｆｌｕｘ）Ｗに比例し、そして、入射角は、距離Ｄと高さＨの比のタンジェントの逆関数であるからである。
【００２９】
さらに、上述したように、本発明では、曇りフィルム（ｆｏｇｇｉｎｇ  ｆｉｌｍ）５０は、入射面（ｉｎｃｉｄｅｎｔ  ｓｕｒｆａｃｅ）５１の照度（ｉｌｌｕｍｉｎａｎｃｅ）Ｅと出射面（ｅｍｅｒｇｅｎｔ  ｓｕｒｆａｃｅ）５２の光束発散度（ｌｕｍｉｎｏｕｓ  ｅｘｉｔａｎｃｅ）Ｍとの間に非線形な関係を有し、そして、したがって、曇りフィルム（ｆｏｇｇｉｎｇ  ｆｉｌｍ）５０を通過する発光ダイオード３０から発せられた光を重ね合わせた（ｓｕｐｅｒｐｏｓｉｔｉｏｎ）、光束発散度（ｌｕｍｉｎｏｕｓ  ｅｘｉｔａｎｃｅ）Ｍは、放射束（ｒａｄｉａｎｔ  ｆｌｕｘ）Ｗ、距離Ｄ、または高さＨに関して、非線形関数Ｆとして、表すことができ、そして、非線形関数Ｆ（ｎｏｎ−ｌｉｎｅａｒ  ｆｕｎｃｔｉｏｎ  Ｆ）は、最大値Ｕに収束する（ｃｏｎｖｅｒｇｅｓ）ということに留意する。すなわち、非線形関数Ｆは収束関数（ｃｏｎｖｅｒｇｅｎｔ  ｆｕｎｃｔｉｏｎ）であり、そして、無限に発散（ｄｉｖｅｒｇｅ  ｔｏ  ｉｎｆｉｎｉｔｅｎｅｓｓ）しない。さらに、非線形関数Ｆの少なくとも一部は、２次関数（ｑｕａｄｒａｔｉｃ  ｆｕｎｃｔｉｏｎ）である。
【００３０】
非線形関数Ｆの最大値Ｕは、曇りフィルム（ｆｏｇｇｉｎｇ  ｆｉｌｍ）５０の材質に依存する、言い換えれば、異なる材料の曇りフィルム（ｆｏｇｇｉｎｇ  ｆｉｌｍ）５０は、異なる最大値Ｕを有する。本実施形態において、曇りフィルム（ｆｏｇｇｉｎｇ  ｆｉｌｍ）５０は、ポリカーボネート（ＰＣ）フィルムである。他の実施形態では、曇りフィルム（ｆｏｇｇｉｎｇ  ｆｉｌｍ）５０はアクリルフィルムで有り得る。
【００３１】
したがって、本発明では、非線形関数Ｆが最大値Ｕとなるように、放射束（ｒａｄｉａｎｔ  ｆｌｕｘ）Ｗ、距離Ｄ、または高さＨが調整される。したがって、本発明では、放射束（ｒａｄｉａｎｔ  ｆｌｕｘ）Ｗ；距離Ｄ：高さの比は、好ましくは、非線形関数Ｆが最大値Ｕとできるように、０．２ワット：１．５ｃｍ：３ｃｍである、ということを得た。したがって、発光ダイオード３０について、放射束（ｒａｄｉａｎｔ  ｆｌｕｘ）Ｗが０．２ワット、距離Ｄが１．５ｃｍ、そして、発光ダイオード３０から曇りフィルム（ｆｏｇｇｉｎｇ  ｆｉｌｍ）５０までの高さＨが３ｃｍ、または、放射束（ｒａｄｉａｎｔ  ｆｌｕｘ）Ｗが０．３ワット、距離Ｄが２．２５ｃｍ、発光ダイオード３０から曇りフィルム（ｆｏｇｇｉｎｇ  ｆｉｌｍ）５０までの高さＨが４．５ｃｍなどであることが好ましい。高さＨは、０．５〜５ｃｍが好ましい。
【００３２】
測定では、本発明の発光ダイオードの面光源（ｐｌａｎｅ  ｓｏｕｒｃｅ）ランプ１の、光束発散度（ｌｕｍｉｎｏｕｓ  ｅｘｉｔａｎｃｅ）Ｍは、８００ルクスであり（ルクス＝ルクス・ｍ−２）、室内照明の規格に準拠する。
【００３３】
前述の比率関係を持つことが重要である。発光ダイオードを、面光源（ｐｌａｎｅ  ｓｏｕｒｃｅ）を提供するために、マトリクス状に配置しなければならないので、上記比率関係が適用される場合には、面光源（ｐｌａｎｅ  ｓｏｕｒｃｅ）ランプの発光効率（ｌｕｍｉｎｏｕｓ  ｅｆｆｉｃａｃｙ）を高めることができる。これに対し、上記比率関係に代えて、他の比率関係を適用する場合には、面光源（ｐｌａｎｅ  ｓｏｕｒｃｅ）ランプの発光効率（ｌｕｍｉｎｏｕｓ  ｅｆｆｉｃａｃｙ）を最適化することができず、エネルギーの無駄や廃熱が発生する。
【００３４】
第２の実施形態
【００３５】
図８乃至１１は、それぞれ、本発明の第２の実施形態に係る、発光ダイオードの面光源（ｐｌａｎｅ  ｓｏｕｒｃｅ）ランプ１’の透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。この実施形態では、基板１０は、２つの回路基板２０を含むように、縦方向に延長されている。基板１０を除いて、その構成要素およびそれらの配置は、第１の実施形態を参照される。
【００３６】
３５個の発光ダイオード３０を有する、１つの回路基板２０は、５ワット〜１０ワット、好ましくは７．５ワットの電力しか消費せず、そして、この実施形態では、３５個の発光ダイオード３０を、それぞれ、有する２つの回路基板２０は、１５ワットの電力しか消費しない。これは、本発明が、従来技術よりも多くの電力を節約することを示す。回路基板の温度は、従来技術のＬＥＤ管の温度よりも低い、約２５℃である。
【００３７】
第３の実施形態
【００３８】
図１２乃至１５は、それぞれ、本発明の第３の実施形態に係る、発光ダイオードの面光源（ｐｌａｎｅ  ｓｏｕｒｃｅ）ランプ１”の透視図（ｐｅｒｓｐｅｃｔｉｖｅ  ｖｉｅｗ）、分解立体図（ｅｘｐｌｏｄｅｄ  ｖｉｅｗ）、上面透視図（ｔｏｐ  ｐｅｒｓｐｅｃｔｉｖｅ  ｖｉｅｗ）および底面透視図（ｂｏｔｔｏｍ  ｐｅｒｓｐｅｃｔｉｖｅ  ｖｉｅｗ）である。この実施形態では、基板１０は、３つの回路基板２０を含むように、縦方向に延長されている。基板１０を除いて、それらの構成要素およびそれらの配置は、第１の実施形態が参照される。
【００３９】
測定において、それぞれ、３５個の発光ダイオード３０を有する、３枚の回路基板２０は、２０ワットの電力しか消費しない。これは、本発明が、従来技術よりも多くの電力を節約することを示す。回路基板の温度は、従来技術のＬＥＤ管の温度よりも低い、約２５℃である。
【００４０】
結論として、本発明の発光ダイオードの面光源（ｐｌａｎｅ  ｓｏｕｒｃｅ）ランプは、均一な面光源（ｐｌａｎｅ  ｓｏｕｒｃｅ）を提供することができる。また、本発明においては、曇りフィルム（ｆｏｇｇｉｎｇ  ｆｉｌｍ）は、入射面（ｉｎｃｉｄｅｎｔ  ｓｕｒｆａｃｅ）の照度（ｉｌｌｕｍｉｎａｎｃｅ）Ｅと、出射面（ｅｍｅｒｇｅｎｔ  ｓｕｒｆａｃｅ）の光束発散度（ｌｕｍｉｎｏｕｓ  ｅｘｉｔａｎｃｅ）Ｍとの間に非線形な関係があり、そして、曇りフィルム（ｆｏｇｇｉｎｇ  ｆｉｌｍ）５０の光束発散度（ｌｕｍｉｎｏｕｓ  ｅｘｉｔａｎｃｅ）Ｍは、関連するパラメータを調整することによって最適化することができることに留意する。
【００４１】
本発明は、その好ましい実施形態に関連して説明したが、以下に請求される本発明の精神および範囲から逸脱することなく、多くの他の可能な修正および変形が可能であることを理解されたい。
【図１】
2018156923.tif 000003
【図２】
2018156923.tif 000004
【図３】
2018156923.tif 000005
【図４】
2018156923.tif 000006
【図５】
2018156923.tif 000007
【図６】
2018156923.tif 000008
【図７】
2018156923.tif 000009
【図８】
2018156923.tif 000010
【図９】
2018156923.tif 000011
【図１０】
2018156923.tif 000012
【図１１】
2018156923.tif 000013
【図１２】
2018156923.tif 000014
【図１３】
2018156923.tif 000015
【図１４】
2018156923.tif 000016
【図１５】
2018156923.tif 000017
【図１６】
2018156923.tif 000018
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
発光ダイオードの面光源（ｐｌａｎｅ  ｓｏｕｒｃｅ）ランプであって、
基板；
基板の４側面に、基板に対して垂直に、それぞれ設置された、４枚の側板；
基板上に、対称的に、設置され、そして、互いに、並列に（ｉｎ  ｐａｒａｌｌｅｌ）接続された、複数の回路基板；
各回路基板上に設置され、そして、各回路基板上にマトリクス状に配列された、複数の発光ダイオード；
前記基板上に設置され、そして、前記発光ダイオードに電力を供給する、電力供給器；および
前記側板の上、そして、前記基板に対向するように設置された、曇りフィルム（ｆｏｇｇｉｎｇ  ｆｉｌｍ）；
を含む、発光ダイオードの面光源ランプであって、
前記曇りフィルム（ｆｏｇｇｉｎｇ  ｆｉｌｍ）は、前記発光ダイオードの光を散乱させて、均一な面光源（ｐｌａｎｅ  ｓｏｕｒｃｅ）を提供し；
曇りフィルム（ｆｏｇｇｉｎｇ  ｆｉｌｍ）は、入射面（ｉｎｃｉｄｅｎｔ  ｓｕｒｆａｃｅ）と出射面（ｅｍｅｒｇｅｎｔ  ｓｕｒｆａｃｅ）とを含み；
前記発光ダイオードの位置が、発光ダイオードから発光された光が、入射面（ｉｎｃｉｄｅｎｔ  ｓｕｒｆａｃｅ）の上で、重なり合う（ｓｕｐｅｒｐｏｓｅｄ）ように配置され（ａｒｒａｎｇｅｄ）、そして、入射面（ｉｎｃｉｄｅｎｔ  ｓｕｒｆａｃｅ）の上に、高照度（ｉｌｌｕｍｉｎａｎｃｅ）領域と低照度（ｉｌｌｕｍｉｎａｎｃｅ）領域を齎し；
曇りフィルム（ｆｏｇｇｉｎｇ  ｆｉｌｍ）が、高照度（ｉｌｌｕｍｉｎａｎｃｅ）領域および低照度（ｉｌｌｕｍｉｎａｎｃｅ）領域において、光を散乱させ、光を均一にし、そして、出射面（ｅｍｅｒｇｅｎｔ  ｓｕｒｆａｃｅ）の上に、面光源（ｐｌａｎｅ  ｓｏｕｒｃｅ）を提供し；
各発光ダイオードは、放射束（ｒａｄｉａｎｔ  ｆｌｕｘ）Ｗを有し；
任意の２つの隣接する発光ダイオードは、距離Ｄだけ、離れて設置されており；
前記曇りフィルム（ｆｏｇｇｉｎｇ  ｆｉｌｍ）と発光ダイオードとは、高さＨだけ離れて設置されており；そして、
曇りフィルム（ｆｏｇｇｉｎｇ  ｆｉｌｍ）を通過した、発光ダイオードから発せられた光が、重なり合う（ｓｕｐｅｒｐｏｓｉｔｉｏｎ）光束発散度（ｌｕｍｉｎｏｕｓ  ｅｘｉｔａｎｃｅ）が、放射束（ｒａｄｉａｎｔ  ｆｌｕｘ）Ｗ、距離Ｄまたは高さＨに関して、非線形関数である；
発光ダイオードの面光源（ｐｌａｎｅ  ｓｏｕｒｃｅ）ランプ。
【請求項２】
非線形関数が、二次関数である、請求項１に記載の、発光ダイオードの面光源（ｐｌａｎｅ  ｓｏｕｒｃｅ）ランプ。
【請求項３】
非線形関数が、最大値に収束する（ｃｏｎｖｅｒｇｅｓ）、請求項２に記載の発光ダイオードの面光源（ｐｌａｎｅ  ｓｏｕｒｃｅ）ランプ。
【請求項４】
放射束（ｒａｄｉａｎｔ  ｆｌｕｘ）Ｗ、距離Ｄまたは高さＨを、非線形関数が最大となるように選択される、請求項３に記載の発光ダイオードの面光源（ｐｌａｎｅ  ｓｏｕｒｃｅ）ランプ。
【請求項５】
放射束（ｒａｄｉａｎｔ  ｆｌｕｘ）Ｗ：距離Ｄ：高さ、の比が、０．２ワット：１．５ｃｍ：３ｃｍである、請求項４に記載の発光ダイオードの面光源（ｐｌａｎｅ  ｓｏｕｒｃｅ）ランプ。
【請求項６】
高さＨが、０．５〜５ｃｍである、請求項５に記載の発光ダイオードの面光源（ｐｌａｎｅ  ｓｏｕｒｃｅ）ランプ。
【請求項７】
曇りフィルム（ｆｏｇｇｉｎｇ  ｆｉｌｍ）が、ポリカーボネートフィルムまたはアクリルフィルムである、請求項６に記載の発光ダイオードの面光源（ｐｌａｎｅ  ｓｏｕｒｃｅ）ランプ。
【請求項８】
各回路基板が、
第１の絶縁層；
前記第１の絶縁層上に設置された回路層（ｃｉｒｃｕｉｔ  ｌａｙｅｒ）であって、複数のコンタクト（ｃｏｎｔａｃｔｓ）を有する並列回路（ｐａｒａｌｌｅｌ  ｃｉｒｃｕｉｔ）が、前記回路層（ｃｉｒｃｕｉｔ  ｌａｙｅｒ）上に配置され；そして、
前記回路層（ｃｉｒｃｕｉｔ  ｌａｙｅｒ）上に設置され、そして、複数のビアホールを有する、第２の絶縁層であって、前記発光ダイオードは、前記第２の絶縁層上に設けられ、そして、前記ビアホールを通って、前記コンタクト（ｃｏｎｔａｃｔｓ）に接続される；
を含む、請求項７に記載の発光ダイオードの面光源（ｐｌａｎｅ  ｓｏｕｒｃｅ）ランプ。
【請求項９】
並列回路（ｐａｒａｌｌｅｌ  ｃｉｒｃｕｉｔ）が、コンタクト（ｃｏｎｔａｃｔｓ）に遭遇する、複数のジグザグ部を有する、請求項８に記載の発光ダイオードの面光源（ｐｌａｎｅ  ｓｏｕｒｃｅ）ランプ。
【請求項１０】
並列回路（ｐａｒａｌｌｅｌ  ｃｉｒｃｕｉｔ）が、
正の端子；
負の端子；
前記正の端子から並列に延びる、第１経路、第２経路および第３経路；および
前記負の端子から並列に延びる、第４経路、第５経路および第６経路；
ここで、前記第１経路は前記第４経路に接続され、前記第２経路は前記第５経路に接続され、そして、前記第３経路は前記第６経路に接続される；
を含む、請求項８に記載の発光ダイオードの面光源（ｐｌａｎｅ  ｓｏｕｒｃｅ）ランプ。